(57)【要約】【課題】流し台での水仕事の際、エプロンを使用しないと水撥ねで衣服を濡らしたり、床面を濡らしてしまうことがある。これを解決するために流し台の水槽内部に簡単に吸着できる水撥ね防止板兼伝言板を提供する。【解決手段】水撥ね防止板兼伝言板の多面の一部に固着した磁石混入のゴム板を、水槽内の手前位置に流し台より上に出るように吸着するだけで、衣服や床への水撥ねを防止することが出来、また、簡単に着脱できるので使用しないときは冷蔵庫の扉などに吸着し、伝言板としても使用することができる。 【選択図】      図１
2009270289.tif 000002
【特許請求の範囲】
【請求項１】
流し台の水槽内部の側面に吸着できるように、耐水性を有する硬質材料の薄板より成り、片面にホワイトボード用マーカーで書き消し可能なハードコート層を有し、他面の一部に磁化材料を固着した水撥ね防止用プロテクター。
【請求項２】
本体の形状及びサイズが前掛け状に形成された、請求項１記載の水撥ね防止兼伝言板。
【発明の詳細な説明】
【技術分野】
【０００１】
本発明は、台所での水仕事で用いる水撥ね防止板兼伝言板である。
【背景技術】
【０００２】
流し台での食器や野菜洗いの時などに、水が撥ねて衣類や床が濡れてしまうことがほとんどで、水量を小さくして長い時間かけての作業となったり、エプロンを装着したり、また、床の雑巾がけをするなど煩わしい問題があった。
【０００３】
従来の水撥ね防止板は、流し台の本体側面にホルダーをとりつけて、ガラスの水撥ね防止板をはめ込むもの（例えば、特開２００４−２８３６１５）や、また、流し台に取り付け具で水槽内部に固定し使用するとき起こして使用するもの（例えば、特開平８−１００７０）や、また、流し台に固定固定金具で固定し、左右に動かして使用するもの（例えば、特開２００３−１６０９５７）また、流し台などで使用しないときに保管場所に問題があるもの(例えば、特開２００７−１１１１９５)などもあるが、いずれも複雑な構造で、清掃面でも問題があり、また、高価なものであった。
【０００４】
【特許文献１】特開２００４−２８３６１５
【特許文献２】特開平８−１００７０
【特許文献３】特開２００３−１６０９５７
【特許文献４】特願２００７−１１１１９５
【特許文献５】実公平８−１１１５
【発明の開示】
【発明が解決しようとする課題】
【０００５】
そこで、本発明は、上記に鑑みて発明したものであって、流し台の浅型・深型のどちらでも、また、蛇口の長さ・高さに関係なく水槽内での水仕事のときエプロンの装着をしなくても、水の勢いによる衣服への水撥ねや、床への水撥ねを防止できるものを提供することを目的とする。  
【課題を解決するための手段】
【０００６】
上記の目的を達成するために、第１の発明は、流し台の水槽内部の側面に吸着できるように、耐水性を有する硬質材料の薄板より成り、片面にホワイトボード用マーカーで書き消し可能なハードコート層を有し、他面の一部に磁化材料を固着した水撥ね防止用プロテクターを提供する。
【０００７】
さらに、第２の発明は、本体の形状及びサイズが、前掛け状に形成された請求項1記載の水撥ね防止兼伝言板を提供する。  
【発明の効果】
【０００８】
この発明の水撥ね防止板兼伝言板は、少量の食器や野菜洗いなどのときなどでも煩わしいエプロンを装着しなくても家庭や、会社などで男性・女性・子供にも関係なく食器洗いなどで衣服や床面を濡らさず水仕事が出来、また、流し台で使用しないときは冷蔵庫などの金属板面に吸着し、ホワイトボードマーカーでとっさの用件などを書き残す伝言板としても使用できるものである。
【発明を実施するための最良の形態】
【０００９】
以下、この発明につき図面を参照しつつ詳細に説明する。なお、この実施の形態によりこの発明が限定されるものではない。また、以下に示す実施の形態の構成要素には、当業者が置換可能かつ容易なもの、或いは実施的同一のものが含まれる。
【実施例１】
【００１０】
図１は、この発明の水撥ね防止板兼伝言板１００のエプロン形状とした正面図である。板１は、ポリプロピレン・ポリエチレン・ポリスチレン・塩化ビニール・ポリウレタン・木製品・その他これらの樹脂を含浸コーティングした材料の大判板よりエプロン型・花型・果物型・ハート型などを打ち抜きで形成する。形状は横２００ミリから３５０ミリ前後とし、縦２００ミリから４００ミリ前後とし、厚みは０．５ミリから０．７５ミリ前後で形成する。点線の部分はゴム材の中に磁石の粉末を混ぜたゴム板３で、大きさも縦３０ミリから４０ミリで、横１００ミリから１５０ミリ前後の大きさにカットし、流し台の水槽５の手前内側の金属板面に吸着するには、ゴム板の接着面に張られた紙を剥がし、板１に固着するのが好ましい形成である。ゴム板の固着は他の公知の手段でもよい。
【００１１】
図２のハート型・図３の花形は、図１の板１に示すエプロン型以外の形状としたものである。いずれの形状も、外観上親しみやすい形状が好ましい。
【００１２】
図４は、水撥ね防止兼伝言板１ａの使用状態の実施例を示す正面図である。水撥ね防止板１ａは流し台４の上に出るように、水槽５の深さに関係なく、また、蛇口６の長さにも関係なく、水槽５の上下・左右どの位置でも磁石混入のゴム板３で自由に吸着できる。
【００１３】
図５は、水撥ね防止板兼伝言板１ａを流し台4における水槽5の内面側で吸着して使用している断面図であるが、水撥ね９は、どのように撥ねても水撥ね防止板１ａを吸着している位置により、使用している人１０の衣服はガードできる。
【００１４】
図６は、本発明の水撥ね防止板兼伝言板１ａを流し台4における水槽5の外側に吸着しての使用状態を示す断面図である。
【００１５】
図7は、本発明の水撥ね防止板１ａを深型の流し台４における水槽５での使用状態を示す断面図である。
【００１６】
図８は、水撥ね防止板兼伝言板１ａの冷蔵庫７における使用状態の実施例を示す正面図ある。流し台４で使用しないときは、冷蔵庫７の扉８に磁石混入のゴム板３で吸着してホワイトボードマーカー２００を使用し伝言板としても利用できるものである。
【００１７】
図９は、本発明の水撥ね防止兼伝言板１ａの流し台４における水槽５での使用時様態を示す斜視図である。
【００１８】
本体１００は、水槽５の内部に吸着したとき動いたり・外れたりしないため、磁石粉混入のゴム板３と、軽量ポリプロピレン・ポリエチレン・ポリスチレン・塩化ビニール・ポリウレタン・加工木製品・その他これらの樹脂を含浸コーティングした材料での形成が好ましい。
【図面の簡単な説明】
【００１９】
【図１】本発明のエプロン型の正面図である。
【図２】本発明のハート型の正面図である。
【図３】本発明の花形の正面図である。
【図４】本発明の流し台での使用状態を示す正面図である。
【図５】本発明の流し台での使用状態を示す断面図である。
【図６】本発明の流し台の外側部分での使用状態を示す断面図である。
【図７】本発明の深型流し台での使用状態を示す断面図である。
【図８】本発明の冷蔵庫での使用状態を示す正面図である。
【図９】本発明の流し台での使用状態を示す斜視図である。
【符号の説明】
【００２０】
１００  水撥ね防止板兼伝言板
１      板
１ａ    水撥ね防止板
１ｂ    伝言板
２      飾り穴
３      磁石混入のゴム板
４      流し台
５      水槽
６      蛇口
７      冷蔵庫
８      冷蔵庫の扉
９      水撥ね
１０    使用している人
２００  ホワイトボードマーカー
【図１】
2009270289.tif 000003
【図２】
2009270289.tif 000004
【図３】
2009270289.tif 000005
【図４】
2009270289.tif 000006
【図５】
2009270289.tif 000007
【図６】
2009270289.tif 000008
【図７】
2009270289.tif 000009
【図８】
2009270289.tif 000010
【図９】
2009270289.tif 000011